【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
筒状の合成樹脂フィルムチューブ体と、該合成樹脂フィルムチューブ体を囲撓する筒状の紙チューブ体とを具えたフィルム内袋付き紙袋用チューブにおいて、
合成樹脂フィルムチューブ体は、
紙チューブ体に隣接して配置された第一のフィルム層と、
第一のフィルム層に対し紙チューブ体と反対側に向け露出して配置された第二のフィルム層とを少なくとも具え、
第一のフィルム層は、第二のフィルム層の溶融温度である第二の温度より低い第一の温度で溶融して対向するチューブ体と接着することを特徴とするフィルム内袋付き紙袋用チューブ。
【請求項２】
合成樹脂フィルムチューブ体は、フィルム内袋付き紙袋用チューブの最内側層として配置されることを特徴とする請求項１に記載のフィルム内袋付き紙袋用チューブ。
【請求項３】
フィルム内袋付き紙袋用チューブの他端側が封緘され内容物を充填した後に第二のフィルム層が対向するチューブ体と接着していることを特徴とする請求項１又は２に記載のフィルム内袋付き紙袋用チューブ。
【手続補正２】
【補正対象書類名】明細書
【補正対象項目名】０００４
【補正方法】変更
【補正の内容】
【０００４】
図９は、上述した従来の内袋付き紙袋の概念断面図であって、口部を開け内容物を充填した様子を示す図である。  
図９の内袋付き紙袋３１は、最内側の層がポリエチレンフィルム等の合成樹脂で形成され、その外側の層は、クラフト紙等の紙材で形成されている。
【手続補正３】
【補正対象書類名】明細書
【補正対象項目名】０００６
【補正方法】変更
【補正の内容】
【０００６】
この紙袋用チューブ２１の一端側２１ａは、内袋付き紙袋２１の口部５を形成する部分である。この一端側２１ａに位置する紙チューブ体２と合成樹脂チューブ体２４とは、初期状態においては互いに接着されていないものであるが、紙チューブ体２又は合成樹脂チューブ体２４に糊等の接着剤２２を塗布することによって互いに接着され、これにより互いに分離不可能にされている。
このように口部５の紙チューブ体２と合成樹脂チューブ体２４とを接着するのは、内袋付き紙袋１１に充填する砂糖、各種粉類、穀物あるいはプロテイン等の食品類、若しくは樹脂ペレット等の工業素材類（以下単に「内容物」と言う）Ｃを、可及的に確実に合成樹脂チューブ体２４とこれに対向する合成樹脂チューブ体２４との間の開口部６内に充填させるためである。  
この接着剤２２には、接着されるチューブ体の材質が、合成樹脂と紙とからなるため、通常、粘着性のゴム糊が用いられている。
また、紙袋用チューブの他端側２１ｂの紙チューブ体２と合成樹脂チューブ体２４とは接着されていない。
【手続補正４】
【補正対象書類名】明細書
【補正対象項目名】００１０
【補正方法】変更
【補正の内容】
【００１０】
図１３は、図９とは別の従来の内袋付き紙袋を示す概念断面図であって、特に口部を封緘した様子を示す図である。
図１３で示すように、従来の内袋付き紙袋には、紙チューブ体２と合成樹脂チューブ体２４とを、糊等の接着剤２２(図９)を使用せずに接着させた内袋付き紙袋５１がある（たとえば、特許文献１参照。）。
この内袋付き紙袋５１は、単一層からなる合成樹脂チューブ体２４と、これに対向する内側の層及外側の層である各紙チューブ体２を具えた紙袋用チューブ４１を用いて製造されるものである。  
この紙袋用チューブ４１では、その一端側４１ａに、熱を加え、これにより合成樹脂チューブ体２４を溶融させ、これにより合成樹脂チューブ体２４を、その内側及び外側に位置する各紙チューブ体２に接着させる。  
【特許文献１】特開２００２−１６０７４２号公報
【手続補正５】
【補正対象書類名】明細書
【補正対象項目名】００１３
【補正方法】変更
【補正の内容】
【００１３】
本願請求項１の発明のフィルム内袋付き紙袋用チューブは、筒状の合成樹脂フィルムチューブ体と、該合成樹脂フィルムチューブ体を囲撓する筒状の紙チューブ体とを具え、合成樹脂フィルムチューブ体は、紙チューブ体に隣接して配置された第一のフィルム層と、第一のフィルム層に対し紙チューブ体と反対側に向け露出して配置された第二のフィルム層とを少なくとも具え、第一のフィルム層は、第二のフィルム層の溶融温度である第二の温度より低い第一の温度で溶融して対向するチューブ体と接着することを特徴としている。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
本願請求項２の発明のフィルム内袋付き紙袋用チューブは、請求項１に記載のフィルム内袋付き紙袋用チューブにおいて、合成樹脂フィルムチューブ体が、フィルム内袋付き紙袋用チューブの最内側層として配置されることを特徴としている。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
本願請求項３の発明のフィルム内袋付き紙袋用チューブは、請求項１又は２に記載のフィルム内袋付き紙袋用チューブにおいて、フィルム内袋付き紙袋用チューブの他端側が封緘され内容物を充填した後に第二のフィルム層が対向するチューブ体と接着していることを特徴としている。
【手続補正１０】
【補正対象書類名】明細書
【補正対象項目名】００１８
【補正方法】変更
【補正の内容】
【００１８】
本発明のフィルム内袋付き紙袋用チューブは、筒状の合成樹脂フィルムチューブ体と、該合成樹脂フィルムチューブ体を囲撓する筒状の紙チューブ体とを具えたフィルム内袋付き紙袋用チューブにおいて、合成樹脂フィルムチューブ体は、紙チューブ体に隣接して配置された第一のフィルム層と、第一のフィルム層に対し紙チューブ体と反対側に向け露出して配置された第二のフィルム層とを少なくとも具え、第一のフィルム層は、第二のフィルム層の溶融温度である第二の温度より低い第一の温度で溶融して対向するチューブ体と接着するようにしているから、該低い温度でフィルム内袋付き紙袋用チューブを加熱することにより合成樹脂フィルムチューブ体の第一フィルム層がこれに対向する紙チューブ体に接着剤を用いることなく接着するとともに合成樹脂フィルムチューブ体の第二のフィルム層が対向するチューブ体に接着しない状態にすることができ、これにより該接着剤の塗布作業を行わずに、最内側層を合成樹脂フィルムによって形成したフィルム内袋付き紙袋を簡単に製造でき、かつ接着剤及びその塗布作業の分、フィルム内袋付き紙袋の製造コストを低くすることができる。
【手続補正１１】
【補正対象書類名】明細書
【補正対象項目名】００２１
【補正方法】変更
【補正の内容】
【００２１】
図２は、図１の内袋付き紙袋の製造に用いられる本願発明の紙袋用チューブの概念断面図であり、図３は、図２の紙袋用チューブの概念端面図である。なお、図１乃至後述する図８では同一部分を同一符号で示しており、また、図１乃至図８で示す符号のうち、図９乃至図１３に付した符号と同一部分は同一符号で図示している。
図２及び図３で示すように、紙袋用チューブ１は、筒状の紙チューブ体２と、筒状の合成樹脂フィルムチューブ体４（以下、「合成樹脂チューブ体」という。）とを具えている。  
このうちの紙チューブ体２は、合成樹脂チューブ体４を囲撓している。また、この紙チューブ体２は、クラフト紙等の紙材によって形成されている。  
また、合成樹脂チューブ体４は、紙袋１１の最内側層として配置されている。この合成樹脂チューブ体４は、ポリエチレンフィルムによって形成されている。
【手続補正１２】
【補正対象書類名】明細書
【補正対象項目名】００２４
【補正方法】変更
【補正の内容】
【００２４】
また、第二のフィルム層４ｂは、図２で示すように、第一のフィルム層４ａに対し紙チューブ体２と反対側に向け露出して配置されている。この第二のフィルム層４ｂは、第一のフィルム層４ａに固着されている。また、この第二のフィルム層４ｂは、合成樹脂チューブ体４が紙袋１１の最内側層として配置されていることから、開口部６（図１）を介して第二のフィルム層４ｂと対向する。
【手続補正１３】
【補正対象書類名】明細書
【補正対象項目名】００２６
【補正方法】変更
【補正の内容】
【００２６】
また、第一のフィルム層４ａは第一の温度で溶融し、これにより対向する紙チューブ体２と接着する層である。第二のフィルム層４ｂは、第一の温度より高い第二の温度で溶融し、これにより対向するチューブ体と接着する層である。したがって、第一のフィルム層４ａは、第二のフィルム層４ｂの溶融温度より低い温度で溶融して対向するチューブ体と接着する層である。
【手続補正１４】
【補正対象書類名】明細書
【補正対象項目名】００２７
【補正方法】変更
【補正の内容】
【００２７】
図５は、図１の内袋付き紙袋の動作を示す概念図であって、特に内容物充填前の様子を示す図である。
図５で示すように、紙袋用チューブ１の他端側１ｂでは、合成樹脂チューブ体４は紙チューブ体２に接着されておらず、従来と同様に、接着剤の接着層８及びカットテープ付き底当て紙９からなる封緘手段７によって、内袋付き紙袋１１の底部１０を形成でき、他端側１ｂを封緘できる。
【手続補正１５】
【補正対象書類名】明細書
【補正対象項目名】００２８
【補正方法】変更
【補正の内容】
【００２８】
次に、この紙袋用チューブ１の作用について説明する。
図６は、図２の紙袋用チューブ１に熱を加える動作を示す概念図であって、特に図６（ａ）は熱を加える前、図６（ｂ）は熱を加えている様子を示す図である。  
図２及び図６（ａ）で示すように紙袋用チューブ１の合成樹脂チューブ体４が紙チューブ体２に接着されていない場合において、図６（ａ）で示すように、一対のシールバー６１ａ、６１ｂを具えた接着手段６１を用意し、矢印Ａ及び図６（ｂ）で示すように、一対のシールバー６１ａ、６１ｂを第一の温度で加熱し該一対のシールバー６１ａ、６１ｂによって紙袋用チューブ１を挟む（以下、この処理を「第一の熱処理」という。）。
【手続補正１６】
【補正対象書類名】明細書
【補正対象項目名】００２９
【補正方法】変更
【補正の内容】
【００２９】
すると、図７（ａ）及び図１で示すように、第一のフィルム層４ａが溶融し、これにより対向する紙チューブ体２と接着する。一方、第二のフィルム層４ｂは、第一の温度では溶融せず、これにより対向する合成樹脂チューブ体４のチューブ体である第二のフィルム層４ｂに接着しない。
なお図７は、図６（ｂ）の動作による紙袋用チューブの作用を示す図で、特に図７（ａ）は合成樹脂チューブ体４の第二のフィルム層が対向する合成樹脂チューブ体の第二のフィルムと分離可能である様子を示す図である。
【手続補正１７】
【補正対象書類名】明細書
【補正対象項目名】００３０
【補正方法】変更
【補正の内容】
【００３０】
この第一の熱処理を、合成樹脂チューブ体４が紙チューブ体２に接着されていない紙袋用チューブ１の一端側１ａに行うと、第二のフィルム層４ｂが対向する第二のフィルム層４ｂに接着しない状態にすることができ、これにより、図１で示すように口部５を開いて、該口部５から内容物Ｃを紙袋１１の開口部６内に充填することができる。
【手続補正１８】
【補正対象書類名】明細書
【補正対象項目名】００３２
【補正方法】変更
【補正の内容】
【００３２】
また図２及び図６（ａ）で示すように、紙袋用チューブ１の一端側１ａの合成樹脂チューブ体４の第二のフィルム層４ｂが、対向するチューブ体である合成樹脂チューブ体４の第二のフィルム層４ｂに接着されていない場合において、矢印Ａ及び図６（ｂ）で示すように接着手段６１の一対のシールバー６１ａ、６１ｂを、第一の温度より高い第二の温度で加熱し、該一対のシールバー６１ａ、６１ｂによって、紙袋用チューブ１を挟む（以下、この処理を、「第二の熱処理」という。）。  
【手続補正１９】
【補正対象書類名】明細書
【補正対象項目名】００３４
【補正方法】変更
【補正の内容】
【００３４】
従って、この第二の熱処理を、第一の熱処理を行った内袋付き紙袋１１（図７（ａ））に、図１で示すように内容物Ｃを充填した後に行うと、口部５を封緘することができる。
なお図７（ｂ）は、合成樹脂チューブ体の第二のフィルム層が、対向する合成樹脂チューブ体の第二のフィルム層と分離不可能に接着された様子を示す図である。また、図８は図１の内袋付き紙袋の動作を示す概念図であって、特に口部を封緘した様子を示す図である。
【手続補正２０】
【補正対象書類名】明細書
【補正対象項目名】００３５
【補正方法】変更
【補正の内容】
【００３５】
また、本願発明の紙袋用チューブ１としては、以下の各条件を具えたものが、好ましい実施例として挙げられる。  
すなわち、紙チューブ体２はクラフト紙を７８ｇ／ｍ２を２枚重ねて接着して２層としたものを用いる。  
また、合成樹脂チューブ体４は、第一のフィルム層４ａと第二のフィルム層４ｂとを具え、合成樹脂チューブ体４全体の厚さが、０．０８ｍｍ（表面張力４２ｍＮ／ｍ）である。  
また、合成樹脂チューブ体４は、第一のフィルム層４ａと第二のフィルム層４ｂとをインフレーション法による製膜によって互いに固着させたものである。  
また、第一のフィルム層４ａは、高圧法ポリエチレン（ＬＤＰＥ）に比べ低温シール性が良いとされる直鎖状低密度ポリエチレン（Ｌ−ＬＤＰＥ）を主成分とする。
また、第一のフィルム層４ａの表面には、該第一のフィルム層４ａと紙チューブ体２との接着性を向上させるための表面改質処理、例えば、該表面改質の代表的な処理として知られているコロナ処理を行う。  
第二のフィルム層４ｂは、高密度ポリエチレン（ＨＤＰＥ）５０％〜７５％、高圧法ポリエチレン（ＬＤＰＥ）５０〜２５％のブレンド組成により形成する。  
また第一の熱処理でのブロッキング（互いに対向する第二のフィルム層４ｂ同士が融着によって口部５を閉塞すること）を防ぎ、内袋付き紙袋１１の開口性をよくするために汎用のアンチブロッキング剤或いはスリップ剤（互いに対向する第二のフィルム層４ｂ同士が滑りやすくする薬剤）を添加する。特に、上記スリップ剤としては、脂肪酸アミドを添加するのが好ましい。
また、この紙袋用チューブ１は、いわゆるガセット付き袋（折り込み付き袋）の内袋付き紙袋を製造する場合の原材料として用いることが可能である。
なお、紙チューブ体２の種類、層の数、厚さ、性状や合成樹脂チューブ体４の第一のフィルム層４ａ及び第二のフィルム層４ｂの各種類、各厚さ、各性状は、上記した好ましい条件に限定されないことはいうまでもない。
【手続補正２１】
【補正対象書類名】明細書
【補正対象項目名】００３６
【補正方法】変更
【補正の内容】
【００３６】
また、上記した第一の熱処理の条件としては、好ましくは、以下の通りである。  
すなわち、第一の温度は１３５℃〜１４５℃である（第一の熱処理の実施時の室温は１８℃とする）。  
なお、接着手段６１による加熱時間は８秒〜１０秒である。また、接着手段６１によって紙袋用チューブ１を挟んだ際に加える圧力は０．６±０．１ＭＰａである。また、このように圧力が０．６±０．１ＭＰａの場合には、圧力が０．２Ｍｐａ以下の場合に比し、特にガセット付き袋における合成樹脂フィルム体４の第一のフィルム層４ａと紙チューブ体２との接着を一層可及的に均一に行うことができる。
また、第一の温度が１３５℃〜１４５℃の場合には、第一の温度が１５０℃以上の場合に比し、上記加熱時間加熱しても、第二のフィルム層４ｂが対向するチューブ体に融着する虞を一層可及的に防止できる。
また、第一のフィルム層４ａとしてコロナ処理を予め行っておくのが好ましく、そのようにすると第一のフィルム層４ａと紙チューブ体２とを一層可及的に確実に接着でき、第二のフィルム層４ｂ同士が溶融により互いに接着する虞を一層可及的に防止することができる。
【手続補正２２】
【補正対象書類名】明細書
【補正対象項目名】００４０
【補正方法】変更
【補正の内容】
【００４０】
また、最内側層を合成樹脂フィルムによって形成した紙袋用チューブ１において、紙チューブ体２と対向する合成樹脂チューブ体４とを接着するとともに第二のフィルム層４ｂを対向するチューブ体である第二のフィルム層４ｂに接着しない状態を維持できるので、内容物Ｃを口部５から充填する際に、可及的に確実に開口部６内に内容物Ｃを充填できる。    
【手続補正２３】
【補正対象書類名】明細書
【補正対象項目名】００４２
【補正方法】変更
【補正の内容】
【００４２】
また、従来の紙袋用チューブ５１（図１３）では、合成樹脂チューブ体４を加熱した場合の溶融が該合成樹脂チューブ体４の内側及び外側の双方で生じるため該溶融による合成樹脂チューブ体４の接着が、合成樹脂チューブ４の対向する内側のチューブ体との間、および対向する外側のチューブ体との間で同時に行われ、これにより収容物Ｃの充填前に口部５及び開口部６を閉塞する虞があった。  
しかし、本願発明の紙袋用チューブ１は、紙チューブ体２に囲撓される合成樹脂チューブ体４を、紙チューブ体２に隣接して配置された第一のフィルム層４ａと、第一のフィルム層４ａに対し紙チューブ体２と反対側に向け露出して配置された第二のフィルム層４ｂとを少なくとも具えるものとし、第一のフィルム層４ａは、第二のフィルム層４ｂの溶融温度である第二の温度より低い第一の温度で溶融して対向するチューブ体２と接着する層であることとしたから、合成樹脂チューブ体４の片側溶融によって紙チューブ体２への片側接着を可能にし、これにより合成樹脂チューブ体４が、紙袋用チューブ１の最内側層として配置されることが可能である。
【手続補正２４】
【補正対象書類名】明細書
【補正対象項目名】００４５
【補正方法】変更
【補正の内容】
【００４５】
また本願発明の紙袋用チューブ１は、図２のように第一の熱処理を行う前の状態の紙袋用チューブ１でもよいことはもちろんである。
【手続補正２５】
【補正対象書類名】明細書
【補正対象項目名】００４６
【補正方法】変更
【補正の内容】
【００４６】
また、この発明の紙袋用チューブ１に用いられる合成樹脂チューブ体４は第一のフィルム層４ａと第二のフィルム層４ｂとを少なくとも具えたものであればよく、合成樹脂チューブ体４は、上述した実施例のように第一のフィルム層４ａと第二のフィルム層４ｂが互いに隣接して配設された２層のフィルム層からなるものであってもよい。また合成樹脂チューブ体４は、第一のフィルム層４ａと第二のフィルム層４ｂを含む三層以上のフィルム層からなるものであってもよい。たとえば、合成樹脂チューブ体４は、第一のフィルム層４ａと第二のフィルム層４ｂとの間にアルミ箔層その他の層が介在する多層のフィルムであってもよい。
【手続補正２６】
【補正対象書類名】明細書
【補正対象項目名】００４８
【補正方法】変更
【補正の内容】
【００４８】
【図１】図１は、本願発明の実施例の紙袋用チューブにより製造されたフィルム内袋付き紙袋の概念断面図であって、口部から内容物を充填した様子を示す図である。
【図２】図２は、図１の内袋付き紙袋の製造に用いられる本願発明の紙袋用チューブの概念断面図である。
【図３】図３は、図２の紙袋用チューブの概念端面図である。
【図４】図４は、図２の紙袋用チューブを構成する合成樹脂チューブ体の構造を示す概念図である。
【図５】図５は、図１の内袋付き紙袋の動作を示す概念図であって、特に内容物充填前の様子を示す図である。
【図６】図６は、図２の紙袋用チューブに熱を加える動作を示す概念図であって、特に図６（ａ）は熱を加える前、図６（ｂ）は熱を加えている様子を示す図である。
【図７】図７は、図６（ｂ）の動作による紙袋用チューブの作用を示す図で、特に図７（ａ）は合成樹脂チューブ体の第二のフィルム層が対向する合成樹脂チューブ体の第二のフィルム層と分離可能である様子を示す図であり、図７（ｂ）は合成樹脂チューブ体の第二のフィルム層が、対向する合成樹脂チューブ体の第二のフィルム層と分離不可能に接着された様子を示す図である。
【図８】図８は、図１の内袋付き紙袋の動作を示す概念図であって、特に口部を封緘した様子を示す図である。
【図９】図９は、上述した従来の内袋付き紙袋の概念断面図であって、口部を開け内容物を充填した様子を示す図である。
【図１０】図１０は、図９の内袋付き紙袋の製造に用いられる紙袋用チューブの概念断面図である。
【図１１】図１１は、図９の内袋付き紙袋の動作を示す概念図であって、特に内容物充填前の様子を示す図である。
【図１２】図１２は、図９の内袋付き紙袋の動作を示す概念図であって、特に口部を封緘した様子を示す図である。
【図１３】図１３は、図９とは別の従来の内袋付き紙袋を示す概念断面図であって、特に口部を封緘した様子を示す図である。